(57)【特許請求の範囲】
【請求項１】
植物栽培用の土壌又は栽培装置のベッドと、作業者が通行可能な歩行路を備え、前記土壌又はベッドで植物を栽培し、ボイラで加温できる農業用ハウスにおいて、
農業用ハウス内に二以上の小室が設けられ、
夫々の小室は前面が前面区画材で、後面が後面区画材で、両側面が側面区画材で、上面が上面区画材で別々に被覆されてそれら区画材の内側に内部空間が確保され、
前記前面区画材、後面区画材、側面区画材、上面区画材の夫々は樹脂製のシート又はフィルムであり、
夫々の小室の内部空間は植物の発芽、育苗、栽培に適する広さであり、夫々の小室は内部空間内で栽培されて生育する植物の背丈よりも高く設定され、
夫々の小室の前面区画材、後面区画材、側面区画材は農業用ハウス内であって天井側に設けられた支持具から下方に下げて下端をフリーにして設けられ、
夫々の小室の上面区画材は前記支持具に設けられ、
前記前面区画材、後面区画材、側面区画材の下端は農業用ハウス内の天井側の前記支持具から前記農業用ハウス内の土壌又は栽培装置まで又はその近くまで下げられて前記内部空間がそれら区画材の外部と区画され、
前記前面区画材、両側面の側面区画材、後面区画材、上面区画材は、別々に開閉可能であり、
夫々の小室内には前記ボイラで加温された気体を分岐して導入可能な通路が設けられたことを特徴とする農業用ハウス。
【請求項２】
請求項１記載の農業用ハウスにおいて、夫々の小室の両側の側面区画材の下端側に巻上げ棒が設けられ、前記両側の側面区画材は前記巻上げ棒を回転させて巻き上げ又は巻き下ろすことによって夫々の小室の側面を開閉可能であることを特徴とする農業用ハウス。
【請求項３】
請求項１又は請求項２記載の農業用ハウスにおいて、気体、液体、粉体等が通る通路が小室内に一本又は二本以上配管されるか又は／及び通路引き込み孔が小室の一又は二以上の箇所に開口されたことを特徴とする農業用ハウス。
【請求項４】
請求項３記載の農業用ハウスにおいて、通路にその内部を通る気体、液体、粉体等が排出される排出孔が開口されたことを特徴とする農業用ハウス。
【請求項５】
請求項３又は請求項４記載の農業用ハウスにおいて、通路又は通路引き込み孔が小室内の土壌又は栽培装置の上に又はその近くに配管又は開口されたことを特徴とする農業用ハウス。
【発明の詳細な説明】
【技術分野】
【０００１】
本発明は、ボイラでの加温効率が良く、農薬散布時に必要箇所にのみ散布可能なビニールハウス、ガラスハウス等の農業用ハウスに関する。
【背景技術】
【０００２】
植物の育苗、栽培等には農業用ハウスが使用されている。近年は栽培規模の拡張に伴って農業用ハウスが大型化している。
【発明の開示】
【発明が解決しようとする課題】
【０００３】
従来の農業用ハウスは次のような課題があった。
１．大型の農業用ハウスの場合は、室内空間が広く、天井が高いため、ボイラで室内を加温する場合、室内の上方は加温されるが、植物を育苗或いは栽培している下方や土壌が加温不足になる。
２．主として農業用ハウス内上方が暖められるため、農業用ハウス内全般が加温されにくく、燃料を消費する割には暖房効率が悪く、不経済である。
３．広い室内全体を加温すると燃料消費が多くなり、二酸化炭素の排出量が多くなり、地球温暖化の一因となり、地球環境の保全面でも好ましくない。
４．農業用ハウス内で農薬散布する場合、農薬が上方に舞い上がって農薬の無駄が多く不経済である。
５．農業用ハウス内で一部の植物にのみ農薬散布する場合に、散布不要の隣の植物にまで飛散することがある。
【課題を解決するための手段】
【０００４】
本発明は、前記課題を解決でき、植物の発芽、育苗、栽培に好適な環境を作り出すことのできる農業用ハウスを提供するものである。
【０００５】
本願発明の農業用ハウスは、請求項１記載のように、植物栽培用の土壌又は栽培装置のベッドと、作業者が通行可能な歩行路を備え、前記土壌又はベッドで植物を栽培し、ボイラで加温できる農業用ハウスにおいて、農業用ハウス内に二以上の小室が設けられ、夫々の小室は前面が前面区画材で、後面が後面区画材で、両側面が側面区画材で、上面が上面区画材で別々に被覆されてそれら区画材の内側に内部空間が確保され、前記前面区画材、後面区画材、側面区画材、上面区画材の夫々は樹脂製のシート又はフィルムであり、夫々の小室の内部空間は植物の発芽、育苗、栽培に適する広さであり、夫々の小室は内部空間内で栽培されて生育する植物の背丈よりも高く設定され、夫々の小室の前面区画材、後面区画材、側面区画材は農業用ハウス内であって天井側に設けられた支持具から下方に下げて下端をフリーにして設けられ、夫々の小室の上面区画材は前記支持具に設けられ、前記前面区画材、後面区画材、側面区画材の下端は農業用ハウス内の天井側の前記支持具から前記農業用ハウス内の土壌又は栽培装置まで又はその近くまで下げられて前記内部空間がそれら区画材の外部と区画され、前記前面区画材、両側面の側面区画材、後面区画材、上面区画材は、別々に開閉可能であり、夫々の小室内には前記ボイラで加温された気体を分岐して導入可能な通路が設けられたものである。請求項２記載のように、請求項１記載の農業用ハウスにおいて、夫々の小室の両側の側面区画材の下端側に巻上げ棒が設けられ、前記両側の側面区画材は前記巻上げ棒を回転させて巻き上げ又は巻き下ろすことによって夫々の小室の側面を開閉可能とすることもできる。請求項３記載のように、請求項１又は請求項２記載の農業用ハウスにおいて、気体、液体、粉体等が通る通路が小室内に一本又は二本以上配管されるか又は／及び通路引き込み孔を小室の一又は二以上の箇所に開口することもできる。請求項４記載のように、請求項３記載の農業用ハウスにおいて、通路にその内部を通る気体、液体、粉体等が排出される排出孔を開口することもできる。請求項５記載のように、請求項３又は請求項４記載の農業用ハウスにおいて、通路又は通路引き込み孔を小室内の土壌又は栽培装置の上に又はその近くに配管又は開口することもできる。
【発明の効果】
【０００６】
本発明の農業用ハウスは次のような効果がある。
（１）農業用ハウス内を区画材で仕切って小室にしてあるため、小室内は農業用ハウスの外気の影響を受けにくく、小室内の温度が安定し、植物の発芽、育苗、育成に適した環境を得る事ができる。
（２）小室の区画材の内側に支柱又は／及び支持具があるため、小室の形状が保持され、小室の内部空間が確保される。
（３）小室内に気体、液体、粉体等を送ることのできる通路が配管されているため、通路に温風や湯を送って小室内を加温したり、冷風や冷媒を送って小室内を冷却したり、水を送って小室内の植物に散水したり、農薬を送って農薬散布したり害虫駆除をしたりすることもできる。いずれの場合も、小室ごとに気体、液体を送ることができるので、加熱、冷却、散水、消毒などを短時間で行うことができ、作業能率が良い。このため、例えば、ボイラ等の熱源からの熱風を通路内に送る場合は燃料消費量が低減し、コストも低減し、熱源から排出される排気ガス量が減少し、地球環境にも優しい。農薬散布の場合は農薬が小室の外に飛散しないので農薬の無駄も殆どない。
（４）通路を小室内の土壌又は栽培装置の上又はその近くに導入したので、通路から導入された温風で土壌又は栽培装置付近を加温でき、植物の発芽、育苗、生育環境が向上する。通路引き込み孔を小室内の土壌又は栽培装置の上又はその近くに開口した場合も、その通路引き込み孔に通路を導入することにより前記と同様の効果が得られる。
（５）小室の上面も区画材で被覆した場合は小室内の加温、冷却効率等が特に向上する。
（６）区画材の下端を農業用ハウス内の土壌又は栽培装置まで又はその近くまで下げたため、植物栽培する土壌又は栽培装置付近の放熱、放冷を防止でき、植物の発芽、育苗、育成環境が向上する。
（７）小室内で農薬散布すれば、隣の植物への農薬の飛散を防止でき、散布した農薬が農業用ハウス内に飛散しないので、農薬の無駄がなく、経済的であり、農業用ハウス内の作業環境も悪化しない。
（８）区画材を開閉可能としてあるので、小室内をきめ細かく温度管理することができると同時に、区画材が邪魔になって作業性が悪くなるのを回避することができる。
（９）支柱、支持具、区画材が取外し又は上方へ収容可能であるため、支柱又は／及び支持具が植物栽培後或いは収穫後の農業用ハウス内での機械作業の邪魔にならず、作業し易くなる。
【発明を実施するための最良の形態】
【０００７】
（農業用ハウスについての実施形態）
本願の農業用ハウスＡの実施形態の一例を図１から図４に基づいて説明する。これら図に示す農業用ハウスはビニールハウス、ガラスハウスといった農業用ハウスＡ内を小室ａに区画したものであり、農業用ハウスＡ内に前横バー１（図１、２）、後横バー２（図２）を架設し、それら横バー１、２の前に２本の前縦支柱３（図２）を、後ろに２本の後縦支柱４（図２）を設け、それら前後の縦支柱３、４の上部間に細長の支持具５（図２）を設け、それら支持具５の上に上面を被覆する上面区画材６（図２）を、前縦支柱３と後縦支柱４の間に側面を被覆する側面区画材７（図１、２）を、２本の前縦支柱３の間に前面を被覆する前面区画材８（図１、２）を、２本の後縦支柱４の間に後面を被覆する後面区画材９（図２）を吊り下げて、両側面と前後面及び上面が囲われた小室ａを形成してある。支柱３、４や支持具５は図示した以外の箇所に設けることもできる。
【０００８】
図１のように小室ａは農業用ハウスＡの間口方向（横方法）に間隔（歩行路）Ｒ（図１、２）をあけて二以上設け、農業用ハウスＡの奥行き（前後）方向にも二以上設けることができる。小室ａの数や大きさは農業用ハウスＡの大きさにより異なるが、各小室ａ内の横幅、高さ、広さ等は植物の発芽、育苗、育成に適するサイズにするのがよい。高過ぎると導入した温風が上昇して植物栽培土壌Ｅや水耕栽培装置のベッド付近が加温されにくくなるので、高さは栽培する植物の背丈よりもやや高めに設定するのが良い。場合によっては、植物の生育に合せて高さを調節できるようにすることもできる。この場合は、例えば、前縦支柱３及び後縦支柱４を伸縮式とか折り曲げ式などにしておき、その長さを植物の生育に合せて調節するとか、短い支柱を長い支柱に変えるなどすることもできる。
【０００９】
前縦支柱３及び後縦支柱４は前記前横バー１、後横バー２の夫々に図３のように軸１０で回動可能に連結して吊り下げ、下端を地面に固定せずにフリーにして、不使用時には図３（ａ）の状態から図３（ｂ）のように跳ね上げ可能としてあり、跳ね上げることにより農業用ハウスＡ内の下部に空間ができて、農業用ハウスＡ内の土壌Eを耕運機で耕したり、水耕栽培装置を取り外したり設置したりする各種作業を容易に行うことができる。跳ね上げた前縦支柱３及び後縦支柱４は図示しない係止具に係止して不用意に戻らないようにする。前縦支柱３及び後縦支柱４は跳ね上げ式ではなく、他の方法、例えば、前横バー１、後横バー２に抜き差し可能としておいて不使用時に抜去できるようにする構成、伸縮式にしておいて使用時に伸ばし不使用時に縮める構成にすることもできる。前縦支柱３及び後縦支柱４の下端は地面に固定することもできる。
【００１０】
前横バー１、後横バー２、前縦支柱３、後縦支柱４は金属製、樹脂製、木材製といった丸や角のパイプ、角や丸の棒、線材、紐といった適宜の細長材を使用することができる。これらはいずれも上面区画材６、側面区画材７、前面区画材８、後面区画材９を支持可能な強度が必要である。
【００１１】
図示した区画材６〜９には樹脂製のシートやフィルムを使用することができる。区画材６〜９はその下端に取り付けた巻上げ棒１１（図２）を回転させることにより巻き上げ可能である。前面、後面の区画材８、９は横に開閉可能としたり、上げたり降ろしたりすることもできる。上面区画材６も開閉可能とすることができる。これら開閉操作により、小室ａ内の温度を調節することができ、歩行路Ｒの作業者の通行や、歩行路Ｒでの作業を容易にすることができる。
【００１２】
前記夫々の区画材６〜９には樹脂製の薄板を使用することもできる。この場合は数十ｃｍ角程度のサイズの薄板をヒンジ状に連結して折り畳み可能とし、折り畳むことにより小室ａを開放し、折り畳みを戻すことにより小室ａを閉じることができるようにすることもできる。区画材には透明なもの無色なものが好ましいが、場合によっては着色されているものを使用することもできる。着色した場合は遮光性があり夏場（高温時）に小室内が温度上昇しすぎるのを防止することができる。
【００１３】
前記小室ａには通路１２（図２、４）を引き込むための通路引き込み孔１３が開口されている。通路１２には定形性のあるもの、可撓性のあるもの、変形可能なもの等を使用することができ、パイプ、ホース、チューブ等を使用可能である。それらの材質も金属、樹脂といった適宜のものを使用可能である。通路引き込み孔１３は小室ａの二箇所以上に設けて夫々の通路引き込み孔１３から通路１２を導入し、夫々の通路１２から温風、冷風といった気体（媒体）、水、湯、消毒液等の液体、農薬、害虫駆除剤等の粉体等を送ることができる。通路引き込み孔１３は小室ａ内の土壌Ｅや水耕栽培装置のベッドの近く（小室ａ内の下端側：図４）に設けると、小室ａ内の土壌Ｅが加温される。通路引き込み孔１３は小室ａの高さ方向に間隔をあけて数個開口しておき、植物の成長につれて通路１２を高い位置の通路引き込み孔１３に差替えるようにすることもできる。この場合、不使用の通路引き込み孔１３には閉塞用の栓を差し込んで閉じることができる。通路引き込み孔１３は小室ａの上面、前面、後面、側面のいずれに開口してもよい。
【００１４】
通路１２は各種気体、液体、粉体等の供給に使用できるが、図４のように数本配管して、いずれかを温風供給用、他を農薬供給用といったように使い分けることもできる。必要であれば、通路引き込み孔１３の内周面に断熱材１４（図２）を設けて、通路１２内を通過する温風の熱で区画材（例えば、樹脂フィルム）が変形しないようにすることもできる。通路１２はボイラ等の熱源、水道パイプなどの水源、消毒液を送るポンプ等に連結した元パイプからパイプを分岐させ、それら分岐パイプを通路１２として各小室ａに導入して配管することができる。通路１２にはその内部に供給される気体、液体、粉体等を外部に排出するための排出孔１５（図４）が間隔をあけて開口されている。排出孔１５の数、大きさ、間隔、向き（下向き、上向き）等は通路１２の配置位置、栽培する植物に合せて選択する。通路１２内の気体、液体、粉体等は循環方式にして気体、液体、粉体等を有効利用できるようにするのが望ましい。例えば、小室ａ内で鉢物栽培する場合は通路１２を小室の上方に配管し、排出孔１５を下向きにして温風を下方に排出するのが望ましく、トマト、胡瓜などの果菜植物の場合は、小室ａ内の下部に配管するのが適する。通路１２は土壌で栽培する植物の生育の邪魔にならないように配管する。通路１２の太さ、本数、配管位置等は栽培する植物に合せて選択する。排出孔１５は場合によっては必ずしも必要ではない。その場合は、通路１２の先端を開口しておき、通路１２内の気体や液体をその開口部から排出するようにすることもできる。
【００１５】
図示した通路１２は小室ａ内の長手方向ほぼ全域に配管してあるが、通路１２は図２のように小室ａ内に少しだけ導入し、導入した先端開口部１２ａから温風、冷風等を排出するようにすることもできる。
【図面の簡単な説明】
【００１６】
【図１】本発明の農業用ハウスの全体を示す正面断面図。
【図２】本発明の実施形態の一例を示す斜視説明図。
【図３】本発明の前縦支柱及び後縦支柱と横バーとの連結部の一例を示す斜視説明図。
【図４】本発明の通路の配管説明図。
【符号の説明】
【００１７】
１  前横バー
２  後横バー
３  前縦支柱
４  後縦支柱
５  支持具
６  上面区画材
７  側面区画材
８  前面区画材
９  後面区画材
１０  軸
１１  巻上げ棒
１２  通路
１２ａ  先端開口部
１３  通路引き込み孔
１４  断熱材
１５  排出孔
Ａ  ハウス
Ｅ  土壌
Ｒ  歩行路
ａ  小室
【図１】
0004794588.tif 000002
【図２】
0004794588.tif 000003
【図３】
0004794588.tif 000004
【図４】
0004794588.tif 000005